(57)【要約】【課題】投げ釣り等の熟練を要することなく所望の釣りポイントに釣り糸を的確に移動させることができ、釣り糸の絡みによる煩わしを低減できるとともに、釣りの楽しみ及び年齢層の拡大に寄与できるようにする。【解決手段】釣り糸５の先端剖は、コントローラ８により制御される水面移動体７により目的の釣りポイントまで運ばれ、水面移動体７の停止後重り１０の重さにより海底に向けて下ろされる。【選択図】　　　図１
2004065212.tif 000002
【特許請求の範囲】
【請求項１】
釣り針や重りが設けられた釣り糸の先端部を水面下に垂らした状態で保持して移動する水面移動体と、この水面移動体の進路を遠隔操作により制御するコントローラを有し、釣り糸の先端部を上記水面移動体により所望の釣りポイントまで運んだ後下ろすことを特徴とする釣具装置。
【請求項２】
請求項１記載の釣具装置において、
釣竿と、この釣竿に設けられ上記釣り糸を繰り出すリールを有し、このリールは上記重りの重さによっては回転せず且つ上記水面移動体の移動による引っ張り力によっては回転する制動構造を有していることを特徴とする釣具装置。
【請求項３】
請求項１記載の釣具装置において、
上記水面移動体が、上記釣り糸の先端部を保持した位置がずれないように係止する係止手段を有し、この係止手段による係止・係止解除は上記コントローラにより操作可能であることを特徴とする釣具装置。
【請求項４】
請求項１乃至３の何れか１つに記載の釣具装置において、
上記水面移動体が、暗中でも視認可能な構成を有していることを特徴とする釣具装置。
【請求項５】
請求項４記載の釣具装置において、
上記水面移動体の外面の少なくとも一部が蛍光により発光することを特徴とする釣具装置。
【発明の詳細な説明】
【０００１】
【発明の属する技術分野】
この発明は、釣りをするための釣具装置に関し、詳しくは、投げ釣りのようにある程度の釣り糸の移動距離を要する釣具装置に関する。
【０００２】
【従来の技術】
周知のように、投げ釣りでは、釣竿を大きく振ってその遠心力で先端部に釣り針や重りの付いた釣り糸を所望する釣りポイントめがけて遠くまで飛ばし、海中に沈める動作が行われる。
釣り糸の飛距離や飛ぶ方向性の正確さは投げる人の熟練や体力によって大きく異なる。
【０００３】
【発明が解決しようとする課題】
一般に人気の釣り場には多数の人が集まり、それぞれ好みの場所を確保して思い思いの釣りポイントを設定して投げている。しかしながら、上述のように釣り糸の飛距離や飛ぶ方向性の正確さは投げる人の熟練や体力によって大きく異なるため、互いに釣り糸が絡むことが多く、釣りポイントの設定が１つの場所に集中した場合などは顕著となる。岸壁での垂らし釣り等に比べて飛距離が長いため、釣り糸が絡むとその処理は容易ではなく非常に煩わしいものであり、折角の釣りの楽しみを低下させる要因となっている。
一方、投げ釣りの場合には、魚を釣り上げる楽しみと共に、釣り糸を遠くまで飛ばす投げ動作そのものにもスポーツ性があるため、人気となっている。
【０００４】
釣りを楽しむ人の数は年々増加の一途を辿っており、年齢層も広きに亘っている。このため、年寄りや女性、子供なども投げ釣りの釣り場に集まる機会が多い。年寄りや女性、子供にとっては他人の釣り糸と絡ませることなく所望のポイントに投げることは非常に難しく、釣りは楽しみたくても諦めざるを得ないのが実情である。
換言すれば、投げ釣りにおける投げ動作のスポーツ性は味わわなくても釣りそのものは楽しみたいという人も少なくない。
【０００５】
この発明は、投げ釣り等の熟練を要することなく所望の釣りポイントに釣り糸を的確に移動させることができ、釣り糸の絡みによる煩わしを低減できるとともに、釣りの楽しみ及び年齢層の拡大に寄与できる釣具装置の提供を、その目的とする。
【０００６】
【課題を解決するための手段】
例えば、従来より用いられているラジオコントロール（無線制御）のプラスチックボートなどを水先案内として釣り糸の先端部を所望の釣りポイントまで運び、その後重りの重さにより海底に向けて下ろす、というのがこの発明の趣旨である。
具体的には、請求項１記載の発明では、釣り針や重りが設けられた釣り糸の先端部を水面下に垂らした状態で保持して移動する水面移動体と、この水面移動体の進路を遠隔操作により制御するコントローラを有し、釣り糸の先端部を上記水面移動体により所望の釣りポイントまで運んだ後下ろす、という構成を採っている。
【０００７】
請求項２記載の発明では、請求項１記載の釣具装置において、釣竿と、この釣竿に設けられ上記釣り糸を繰り出すリールを有し、このリールは上記重りの重さによっては回転せず且つ上記水面移動体の移動による引っ張り力によっては回転する制動構造を有している、という構成を採っている。
【０００８】
請求項３記載の発明では、請求項１記載の釣具装置において、上記水面移動体が、上記釣り糸の先端部を保持した位置がずれないように係止する係止手段を有し、この係止手段による係止・係止解除は上記コントローラにより操作可能である、という構成を採っている。
【０００９】
請求項４記載の発明では、請求項１乃至３の何れか１つに記載の釣具装置において、上記水面移動体が、暗中でも視認可能な構成を有している、という構成を採っている。
【００１０】
請求項５記載の発明では、請求項４記載の釣具装置において、上記水面移動体の外面の少なくとも一部が蛍光により発光する、という構成を採っている。
【００１１】
【発明の実施の形態】
以下、この発明の第１の実施形態を、図１乃至図４に基づいて説明する。
図１に示すように、本実施形態における釣具装置１は、岸壁や岩場等の釣り場２に図示しない支持部材により固定され、あるいは釣り人の手で支持される釣り竿３と、この釣り竿３に回転自在に設けられたリール４と、このリール４に巻かれ、リール４の回転によって繰り出され又は巻き取られる釣り糸５と、釣り糸５の先端部を保持して水面６を移動する水面移動体７と、この水面移動体７を釣り場２から無線で遠隔操作するための持ち運び可能なコントローラ８を有している。
【００１２】
釣り糸５の先端部には、複数の釣り針９や重り１０等が取り付けられている。水面移動体７は、市販されているラジコンボートを使用しており、後端部に釣り糸５の先端部を保持するための保持部１１を形成している。
水面移動体７の内部には小型モータが内蔵されており、このモータの駆動により回転するスクリュー１２により推進するようになっている。図示しないが水面移動体７は上記モータ又は別の駆動源で駆動される舵を有しており、コントローラ８による遠隔操作により前進・後退、左右の旋回が任意にできるようになっている。
水面移動体７の中央上端部には夜間でも目視できるように、蛍光塗料１３が塗布されている。暗中の視認化対策としては他に、蛍光テープを貼り付けたり、電池により点灯する豆電球を設けるようにしてもよい。
【００１３】
水面移動体７の後端部に設けられた保持部１１は、図２（ａ）に示すように、釣り糸５を収容する収容孔１４を有しており、この収容孔１４は溝１５を介して外部に連通している。溝１５の幅は釣り糸５の径よりも若干大きく形成されている。収容孔１４の溝１５に対応する部分には、板バネ１６が一端側を固定されて設けられており、釣り糸５を溝１５に通して押し込むと、二点鎖線で示すように板バネ１６が変形し、釣り糸５が収容孔１４内に収容される。収容された釣り糸５は復元した板バネ１６の抜け止め機能により保持部１１から外れない。
収容孔１４には、重り１０が保持部１１の下方に位置するように、重り１０の上部の釣り糸５の部分が通される。収容孔１４の大きさは重り１０の径よりも小さく設定されており、釣り糸５の先端部が保持部１１から上方に抜けないようになっている。収容孔１４の大きさは、重り１０等を釣り糸５に連結するためのユニバーサルジョイントを通さないサイズとしてもよい。
図２（ｂ）に示すように、収容孔１４の内面は、後述する釣りポイントに到達した後釣り糸５を海底に下ろす場合に摩擦を小さくしてスムーズに釣り糸５が下がるように滑らかな湾曲面状に形成されている。
【００１４】
図示しないが、リール４はペールアームを有しており、僅かな外力でも回転するフリーな状態と、回転しないロック状態に設定することができる。
さらに、本実施形態では、重り１０の重さでは回転しないが水面移動体７の引っ張り力によっては回転する制動状態を任意に設定できるようになっている。
制動状態を得るための一例としては、例えばリール４に弾性体を当接させてブレーキ作用を生じさせる構成が考えられる。
【００１５】
次に、釣具装置１の使用動作を説明する。
まず、図１に示すように、水面移動体７を水面に浮かべ、釣り糸５の先端部が保持部１１の下面近傍にある状態が維持されるようにリール４を制動状態にする。リール４が制動状態にあると、釣り糸５の先端部は重り１０の重さでは下がらない。
この状態でコントローラ８により水面移動体７を制御し、目的の釣りポイントに向けて移動させる。水面移動体７が移動すると、リール４が回転し釣り糸５が繰り出される。リール４は制動状態で回転するため、釣り糸５の先端部の下がり位置は水面移動体７の移動中図１に示した適正状態に維持される。ここで、適正状態とは、水面移動体７の移動に際して水中にある釣り糸５の先端部の抵抗が大きくない下がり状態をいう。
【００１６】
図３は、水面移動体７が所望の釣りポイントＰに到達した状態を示している。釣りポイントＰに到達したらコントローラ８により水面移動体７の推進を停止する。これと同時にリール４の制動状態を解除し、フリーにする。
水面移動体７が停止すると、図４に示すように、釣り糸５は重り１０の重さにより海底に向けて下がり、最終的に海底に着地する。水面移動体７の移動距離が長ければ長いほど釣り糸５の水平面に対する角度θが小さくなり、保持部１１に対する摩擦は大きくなるが、上述のように保持部１１の収容孔１４の内面は湾曲しているので、摩擦抵抗が減り、水面移動体７が停止した後からの釣り糸５の下がりは円滑となる。コロを設けて摩擦を低減してもよい。
重り１０が海底に到達したらリール４を固定し、魚の食い付きによる釣竿３の揺れを見る。
魚が釣れた場合又は巻き戻す場合、リール４の巻き取り操作により水面移動体７も一緒に戻される。
【００１７】
この釣具装置１によれば、コントローラ８による操作だけで釣り糸５を移動できるので、体力のない年寄りや子供でも所望の釣りポイントに正確に釣り糸５を移動させることができる。
また、この釣具装置１によれば、どんなに遠くの釣りポイントであっても水面から略垂直に釣り糸５を垂らすことができるので、瀬などへの引っ掛かりを低減できるメリットも有している。
また、投げ釣りではポイントを変更したい場合、釣り糸を巻き戻して再度投げる必要があるが、本実施形態における釣具装置１では釣り糸５を若干巻き戻した後水面移動体７を移動させるだけで容易にポイントを変更できるメリットも有している。
【００１８】
上記実施形態では、リール４に制動構成を設けて重り１０が下がらない状態を維持して釣りポイントＰまで移動させる構成としたが、最初リール４を重り１０が保持部１１の下方に適正長さ下がった状態でロックし、水面移動体７を発進させた後リール４のロックを解除してフリーにし、水面移動体７の推進に伴う抵抗で重り１０の垂れ下がり状態が釣りポイントＰまで一定に維持されるようにしてもよい。
【００１９】
次に、図５及び図６に基づいて第２の実施形態を説明する。なお、上記実施形態と同一部分は同一符号で示し、特に必要がない限り既にした構成上及び機能上の説明は省略し、要部のみ説明する。
本実施形態ではリール４が制動構成を有していなくても釣りポイントに到達するまで釣り糸５の先端部を保持部１１から一定距離下げた状態を確実に維持できることを特徴としている。
図５に示すように、本実施形態では、保持部１１に釣り糸５を位置固定できる係止手段１７を有している。係止手段１７は、水面移動体７の内部に設けられ、コントローラ８により制御される小型モータ１８と、モータ１８の回転軸１８ａに固定されたピニオンギア１９と、このピニオンギア１９に噛み合うラック部２０ａを有する係止ロッド２０を有している。モータ１８の回転により係止ロッド２０は水面移動体７の長手方向（矢印方向、推進方向）に移動する。
【００２０】
係止ロッド２０が収容孔１４に突出する部分には撥水性の摺動部材２１が設けられており、水面移動体７内部への水の侵入が阻止されている。
図６に示すように係止ロッド２０の先端部は凹状の湾曲面に形成されており、収容孔１４の内面と共に釣り糸５を確実に挟持して位置固定できるようになっている。
釣り糸５の先端部が保持部１１から一定距離（適正距離）下がった状態で係止ロッド２０を突出させて釣り糸５を固定し、その後水面移動体７を水面に浮かべて所望の釣りポイントへ移動させる。
釣りポイントへ到達したら、水面移動体７を停止させるとともに、モータ１８を制御して係止ロッド２０を退動させ、釣り糸５の位置固定を解除する。モータ１８は推進力を得るモータが兼用する構成としてもよい。
【００２１】
図７に第３の実施形態を示す。保持部１１の下方に釣り糸５を単に垂らすだけでは釣り糸５がスクリュー１２や舵２２に絡むおそれがある。本実施形態ではこの懸念を解消することを目的としている。保持部１１の下面には釣り糸５の垂れ下がりを所定距離ガイドするガイド部材２３が固定されている。ガイド部材２３の縦孔２３ａの径は重り１０を通さない大きさに設定されている。
最初、ユニバーサルジョイント２４により重り１０を分離し、釣り糸５を縦孔２３ａに通した後重り１０を連結する。この場合、保持部１１に形成される孔２５は、収容孔１４とは異なり、釣り糸５を水平に通す溝は有していない。
【００２２】
上記各実施形態では釣り竿３を備えた構成としたが、釣り糸５を手で繰り出す構成としてもよい。この場合、手で上記制動力を与えることになる。
また、水面移動体７及びコントローラ８として、市販のラジコンボートを利用する例を示したが、無論専用のものを作製してもよい。
【００２３】
【発明の効果】
以上説明したように、この発明によれば、投げ釣りの熟練を要することなく且つ体力を要することなく容易に所望の釣りポイントに釣り糸を垂らすことができ、他人の釣り糸との絡みを防止できるとともに、釣りの楽しみ及び年齢層の拡大に寄与できる。
【図面の簡単な説明】
【図１】本発明の第１の実施形態における釣具装置の使用状態の外観図である。
【図２】保持部を示す図で、（ａ）は概要平面図、（ｂ）は概要断面図である。
【図３】水面移動体が釣りポイントに到達した状態を示す図である。
【図４】水面移動体を停止させ、釣り糸５を海底に向けて下ろす状態を示す図である。
【図５】第２の実施形態における係止手段の構成を示す図である。
【図６】係止手段の係止動作を示す概要平面図である。
【図７】第３の実施形態における水面移動体の後端部の要部断面図である。
【符号の説明】
３　釣竿
４　リール
５　釣り糸
７　水面移動体
８　コントローラ
９　釣り針
１０　重り
１７　係止手段
【図１】
2004065212.tif 000003
【図２】
2004065212.tif 000004
【図３】
2004065212.tif 000005
【図４】
2004065212.tif 000006
【図５】
2004065212.tif 000007
【図６】
2004065212.tif 000008
【図７】
2004065212.tif 000009